(57)【要約】【課題】置き場所が分からなくなったリモコンを早く探し出すことが可能となる電子機器を提供する。【解決手段】リモコン受光部３がリモコンから信号を受信すると、制御部１は、リモコンの位置に関する各種情報を測定するリモコン位置検出装置２０に測定を行わせ、その測定結果に基づき生成されたリモコンの位置の情報であるリモコン位置情報を記憶部２に記憶させ、リモコン位置表示ボタン４が押下げられると、制御部１は、記憶部２に記憶されたリモコン位置情報に基づきリモコンの概ねの位置を示す画像を表示部５に表示させる。【選択図】図１
2010068073.tif 000002
【特許請求の範囲】
【請求項１】
リモコンからの信号を受信するリモコン信号受信部と、制御部と、記憶部と、操作部と、を備えた電子機器において、
前記リモコン信号受信部が前記リモコンから信号を受信すると、前記制御部は、前記リモコンの位置に関する各種情報を測定する測定装置の測定結果に基づき生成された前記リモコンの位置の情報であるリモコン位置情報を前記記憶部に記憶させ、
前記操作部において所定の操作がされると、前記制御部は、前記記憶部に記憶されたリモコン位置情報に基づき前記リモコンの概ねの位置を報知部に報知させることを特徴とする電子機器。
【請求項２】
前記リモコン信号受信部が前記リモコンから信号を受信すると、前記制御部は、現在の日付・時刻情報を前記記憶部に記憶させ、
前記操作部において所定の操作がされると、前記制御部は、前記記憶部に記憶された日付・時刻情報に基づき日付・時刻を前記報知部に報知させることを特徴とする請求項１に記載の電子機器。
【請求項３】
前記リモコン信号受信部が前記リモコンから信号を受信すると、前記制御部は、前記リモコンの操作内容情報および／または操作結果に関する情報を前記記憶部に記憶させ、
前記操作部において所定の操作がされると、前記制御部は、前記記憶部に記憶された前記リモコンの操作内容情報および／または操作結果に関する情報に基づき操作内容および／または操作結果に関する情報を前記報知部に報知させることを特徴とする請求項１または請求項２に記載の電子機器。
【請求項４】
前記報知部は、前記リモコンの概ねの位置を示す画像を表示することで前記リモコンの概ねの位置を報知することを特徴とする請求項１〜請求項３のいずれかに記載の電子機器。
【請求項５】
前記報知部は、前記リモコンの概ねの位置を示す音声を発生することで前記リモコンの概ねの位置を報知することを特徴とする請求項１〜請求項３のいずれかに記載の電子機器。
【請求項６】
カメラをさらに備え、
前記リモコン信号受信部が前記リモコンから信号を受信すると、前記制御部は、前記リモコンが位置する方向の画像を前記カメラに撮影させ、その撮影画像を前記記憶部に記憶させ、
前記操作部において所定の操作がされると、前記制御部は、前記記憶部に記憶された撮影画像に基づき、撮影画像に前記リモコンの概ねの位置を示す前記画像を重畳させた画像を前記報知部に表示させることを特徴とする請求項４に記載の電子機器。
【発明の詳細な説明】
【技術分野】
【０００１】
本発明は、リモコンからの信号を受信可能な電子機器に関する。
【背景技術】
【０００２】
リモコンは電子機器を遠隔で操作するための便利なツールとして広く利用されている。これまでに、リモコンの位置検出を行うことで電子機器を使用するユーザに対して何らかの利便性を向上させる技術が提案されている。例えば、特許文献１には、リモコンの位置検出を利用してテレビの左右スピーカの音量バランスを調整し音量を補正する技術が提案されている。また、特許文献２には、同じくリモコンの位置検出を利用して、リモコンを操作するユーザに対してテレビのスピーカの向きを最適に調節する技術が提案されている。
【特許文献１】特開平１−１０９８６７号公報
【特許文献２】特開平８−２１４１８３号公報
【発明の開示】
【発明が解決しようとする課題】
【０００３】
しかし、上記特許文献１と上記特許文献２に提案されたテレビでは、ユーザがリモコンを最後に使用した人がどこにリモコンを置いたのか分からなくなった場合にリモコンを探し出す手立てがなく、ユーザはリモコンを探し回らなければならないといった問題がある。
【０００４】
上記問題点を鑑み、本発明は、置き場所が分からなくなったリモコンを早く探し出すことが可能となる電子機器を提供することを目的とする。
【課題を解決するための手段】
【０００５】
上記目的を達成するために本発明の電子機器は、リモコンからの信号を受信するリモコン信号受信部と、制御部と、記憶部と、操作部と、を備えた電子機器において、
前記リモコン信号受信部が前記リモコンから信号を受信すると、前記制御部は、前記リモコンの位置に関する各種情報を測定する測定装置の測定結果に基づき生成された前記リモコンの位置の情報であるリモコン位置情報を前記記憶部に記憶させ、
前記操作部において所定の操作がされると、前記制御部は、前記記憶部に記憶されたリモコン位置情報に基づき前記リモコンの概ねの位置を報知部に報知させる構成とした。
【０００６】
このような構成によれば、ユーザがリモコンを操作した場合に記憶部にリモコン位置情報が記憶される。そして、そのユーザがリモコンを置いてどこかに行き、他のユーザがリモコンの置き場所が分からない場合、そのユーザが操作部において所定の操作を行えば、報知部がリモコンの概ねの位置を報知するので、ユーザはそれを手がかりとして、置き場所が分からなくなったリモコンを早く探し出すことができる。
【０００７】
また、本発明の電子機器は、上記構成において、前記リモコン信号受信部が前記リモコンから信号を受信すると、前記制御部は、現在の日付・時刻情報を前記記憶部に記憶させ、
前記操作部において所定の操作がされると、前記制御部は、前記記憶部に記憶された日付・時刻情報に基づき日付・時刻を前記報知部に報知させる構成とした。
【０００８】
このような構成によれば、ユーザは、日付・時刻の報知により、リモコンが操作された日時を把握でき、誰が前回リモコンを操作したのかを予測でき、リモコンを探し出す助けとなる。
【０００９】
また、本発明の電子機器は、上記構成において、前記リモコン信号受信部が前記リモコンから信号を受信すると、前記制御部は、前記リモコンの操作内容情報および／または操作結果に関する情報を前記記憶部に記憶させ、
前記操作部において所定の操作がされると、前記制御部は、前記記憶部に記憶された前記リモコンの操作内容情報および／または操作結果に関する情報に基づき操作内容および／または操作結果に関する情報を前記報知部に報知させる構成とした。
【００１０】
このような構成によれば、ユーザは、操作内容および／または操作結果に関する情報の報知により、前回誰がリモコンを操作したのかを予測でき、リモコンを探し出す助けとなる。
【００１１】
また、本発明の電子機器は、上記構成において、前記報知部は、前記リモコンの概ねの位置を示す画像を表示することで前記リモコンの概ねの位置を報知する構成とした。
【００１２】
また、本発明の電子機器は、上記構成において、前記報知部は、前記リモコンの概ねの位置を示す音声を発生することで前記リモコンの概ねの位置を報知する構成とした。
【００１３】
また、本発明の電子機器は、上記構成において、カメラをさらに備え、
前記リモコン信号受信部が前記リモコンから信号を受信すると、前記制御部は、前記リモコンが位置する方向の画像を前記カメラに撮影させ、その撮影画像を前記記憶部に記憶させ、
前記操作部において所定の操作がされると、前記制御部は、前記記憶部に記憶された撮影画像に基づき、撮影画像に前記リモコンの概ねの位置を示す前記画像を重畳させた画像を前記報知部に表示させる構成とした。
【００１４】
このような構成によれば、リモコンの概ねの位置を示す画像が撮影画像に重畳されて表示されるので、ユーザはリモコンを探し易くなる。
【発明の効果】
【００１５】
本発明の電子機器によれば、置き場所が分からなくなったリモコンを早く探し出すことが可能となる。
【発明を実施するための最良の形態】
【００１６】
以下、本発明の実施形態について図面を参照して説明する。ここでは、本発明に係る電子機器としてテレビを一例に挙げて説明する。
【００１７】
図１に、本発明に係るテレビ１０の概略構成を示す。また、図２に、テレビ１０の概略の外観を示す。
【００１８】
テレビ１０は、制御部１と、記憶部２と、リモコン受光部３と、操作部４と、表示部５と、スピーカ５とを備えている（図１では図示しないが、チューナ、復調部等の放送番組視聴のための構成も当然に備える）。また、テレビ１０にはリモコン位置検出装置２０が接続される。
【００１９】
制御部１は、不図示のマイコン等を有し、テレビ１０の各部を制御する。記憶部２は、後述するリモコン位置情報を記憶するためのものであり、例えば、不揮発性メモリで構成される。リモコン受光部３は、リモコン３０から操作に応じた赤外線信号を受信し、受信した赤外線信号をコード信号に変換して制御部１に送信し、制御部１は受信したコード信号に応じた制御を行う。これにより、リモコン３０によるテレビ１０の遠隔操作が可能となる。
【００２０】
操作部４は、ユーザがテレビ１０に各種指示を与えるためのものであり、各種ボタンを有しており、その一つにリモコン位置表示ボタン４ａを有している。表示部５は、例えば、液晶パネル等で構成され、表示面５ａに放送番組やＯＳＤ（オンスクリーンディスプレイ）画面を表示する。スピーカ６は、放送音声等の各種音声を発する。
【００２１】
リモコン位置検出装置２０は、リモコン３０の位置に関する各種情報を測定する装置であり、テレビ１０の上部の幅方向中央に配置され、テレビ１０の制御部１と接続される。
【００２２】
次に、本発明に係るテレビ１０の動作について説明する。
【００２３】
まず、リモコン３０において操作がされ、リモコン受光部３がリモコン３０から赤外線信号を受信しコード信号を制御部１に送信し、制御部１がコード信号を受信すると、制御部１はリモコン位置検出装置２０に測定を指示する。
【００２４】
すると、リモコン位置検出装置２０は、リモコン３０からリモコン位置検出装置２０までの距離Ｄを測定する（図２）。このとき、リモコン位置検出装置２０は、リモコン３０からリモコン位置検出装置２０まで延ばした直線と、リモコン位置検出装置２０を通る高さ方向の軸であるＹ軸とがなす角度θも測定する（図２（Ａ））。また、リモコン位置検出装置２０は、リモコン３０からリモコン位置検出装置２０まで延ばした直線と、リモコン位置検出装置２０を通る幅方向の軸であるＸ軸とがなす角度γも測定する（図２（Ｂ））。
【００２５】
上記測定の方法としては、例えば、狭指向性の受光素子を多数配置し、受光素子の出力に基づき上記角度θ、γを測定すればよい。そして、各受光素子に対応して発光素子を設けるようにし、上記受光素子の出力に基づき決定された発光素子を発光させ、発光してからリモコン３０で光が反射して受光素子が受光するまでの時間を計測し、距離Ｄを測定すればよい。
【００２６】
次に、テレビ１０の制御部１が、リモコン位置検出装置２０から上記測定結果を取得し、下記（１）式および（２）式を計算し、ＸおよびＹを求める。
Ｘ＝Ｄ×ｃｏｓγ  （１）
Ｙ＝Ｄ×ｃｏｓθ  （２）
（１）式の計算により、リモコン３０からＹ軸へ下ろした垂線とＹ軸との交点Ｐ１を求めることができる。また、（２）式の計算により、リモコン３０からＸ軸へ下ろした垂線とＸ軸との交点Ｐ２を求めることができる。なお、上記計算はリモコン位置検出装置が行ってもよい。
【００２７】
ここで、図３のように、Ｘ軸、Ｙ軸からなる２次元直交座標系（リモコン位置検出装置２０の位置が原点）を考えると、座標（Ｘ，Ｙ）はリモコン３０の位置を示すことになる。
【００２８】
上記計算後、制御部１は、計算されたＸおよびＹを記憶部２に記憶させる。以上のような動作はリモコン３０が操作されるたびに繰り返され、記憶部２へのＸおよびＹの記憶は上書きで行われる。
【００２９】
そして、リモコン３０を操作していたユーザがリモコン３０を置いてどこかへ行き、他のユーザがリモコン３０の置き場所が分からないような場合、そのユーザがリモコン位置表示ボタン４ａを押下げる。
【００３０】
すると、制御部１は、記憶部２に記憶されたＸおよびＹを読み出し、表示信号を作成して表示部５に送信し、表示部５は座標（Ｘ，Ｙ）の位置にマーク７を表示する（図４）。マーク７は、前回リモコン３０が操作されたときのリモコン３０の概ねの位置を示しており、ユーザはマーク７を手がかりとして置き場所が分からなくなったリモコン３０を早く探し出すことができる。
【００３１】
ここで、図３に示す破線の四角形は表示面５ａの範囲を示し、その四隅の座標が（Ｗ１，Ｈ１）、（Ｗ１，Ｈ２）、（Ｗ２，Ｈ１）、（Ｗ２，Ｈ２）であるとする。上記で制御部１が記憶部２からＸを読み出し、ＸがもしＷ１より大きければ、Ｘ座標をＷ１としてマーク７を表示部５に表示させる。同様に、ＸがもしＷ２より小さければ、Ｘ座標をＷ２としてマーク７を表示させる。また、上記で制御部１が記憶部２からＹを読み出し、ＹがもしＨ１より小さければ、Ｙ座標をＨ１としてマーク７を表示部５に表示させる。同様に、ＹがもしＨ２より大きければ、Ｙ座標をＨ２としてマーク７を表示させる。これにより、表示面５ａの範囲外でリモコン３０が操作されても、マーク７を表示面５ａに表示させることができ、ユーザはマーク７を手がかりにリモコン３０を早く探し出すことができる。
【００３２】
なお、ＸおよびＹを記憶部２に記憶する際は上書きではなく、記憶部２に蓄積するようにしてもよい。この場合、リモコン位置表示ボタン４ａが押下げられると、制御部１は、蓄積されたＸおよびＹの組を記憶部２から読み出し、それぞれの組に対応するマーク７を表示部５に表示させるようにする。ユーザはマーク７を見ることで、リモコン３０が操作された概ねの位置の履歴を把握でき、より早くリモコン３０を探し出すことが可能となる。
【００３３】
以上の実施形態の変形例として、リモコン３０が操作され、記憶部２にＸおよびＹを上書き記憶させる際に、制御部１が、テレビ１０の有する時計部（不図示）が計時した現在の日付・時刻情報を記憶部２に上書き記憶させるようにしてもよい。この場合、リモコン位置表示ボタン４ａが押下げられると、制御部１は、記憶部２からＸ、Ｙと共に日付・時刻情報を読み出し、表示信号を作成して表示部５に送信し、表示部５がマーク７と共に日付・時刻を表示するようにすればよい。これによれば、表示された日付・時刻から誰が前回リモコン３０を操作したのかユーザが予測でき、リモコン３０を探し出す手助けとなる。
【００３４】
なお、記憶部２にＸおよびＹを蓄積させて記憶させる場合は、日付・時刻情報も記憶部２に蓄積させて記憶するようにすればよい。この場合、リモコン位置表示ボタン４ａが押下げられると、制御部１は、蓄積された日付・時刻情報を記憶部２から読み出し、マーク７と共にそれぞれの日付・時刻を表示部５に表示させるようにする。これによれば、表示された日付・時刻の履歴から誰が前回リモコン３０を操作したのかユーザはより予測し易く、リモコン３０をより探し易くなる。
【００３５】
また、別の変形例として、リモコン３０が操作され、記憶部２にＸおよびＹを上書き記憶させる際に、制御部１が、リモコン受光部３から受信したコード信号を記憶部２に上書き記憶させるようにしてもよい。この場合、リモコン位置表示ボタン４ａが押下げられると、制御部１は、記憶部２からＸ、Ｙと共にコード信号を読み出し、表示信号を作成して表示部５に送信し、表示部５がマーク７と共にコード信号に対応する操作内容（例えば、選局されたチャンネル、音量上昇等）を表示するようにすればよい。これによれば、表示された操作内容から誰が前回リモコン３０を操作したのかユーザが予測でき、リモコン３０を探し出す手助けとなる。また、選局を示すコード信号を記憶部２に記憶させる際は、ＥＰＧ（電子番組表）を参照する等して、選局された放送番組の番組情報（例えば、番組タイトル）も記憶部２に記憶させてもよい。この場合、リモコン位置表示ボタン４ａが押下げられると、制御部１は、記憶部２からＸ、Ｙと共にコード信号および番組情報を読み出し、表示部５にマーク７と共に選局チャンネルおよび番組情報を表示させるようにする。
【００３６】
なお、記憶部２にＸおよびＹを蓄積させて記憶させる場合は、コード信号も記憶部２に蓄積させて記憶するようにすればよい。この場合、リモコン位置表示ボタン４ａが押下げられると、制御部１は、蓄積されたコード信号を記憶部２から読み出し、マーク７と共にそれぞれのコード信号に対応する操作内容を表示部５に表示させるようにする。これによれば、表示された操作内容の履歴から誰が前回リモコン３０を操作したのかユーザはより予測し易く、リモコン３０をより探し易くなる。
【００３７】
さらに、別の変形例として、小型カメラをテレビ１０前面に設け、この小型カメラの方向を変更するカメラ駆動部をテレビ１０に備えるようにしてもよい。その場合、リモコン３０が操作され、記憶部２にＸおよびＹが上書き記憶された後、制御部１が、座標（Ｘ，Ｙ）を通るＸＹ平面に対する垂線の方向にカメラ駆動部を用いて小型カメラを向け、小型カメラに撮影をさせ、その撮影画像を記憶部２に上書き記憶させるようにする。そして、リモコン位置表示ボタン４ａが押下げられると、制御部１は、記憶部２からＸ、Ｙおよび撮影画像を読み出し、撮影画像に上記垂線の画像を重畳させた画像を作成し、作成された画像に基づき表示信号を作成して表示部５に送信し、撮影画像に上記垂線の画像が重畳された画像を表示部５が表示するようにする。これによれば、表示された画像を手がかりとして、ユーザは置き場所が分からなくなったリモコン３０を早く探し出すことができる。
【００３８】
なお、記憶部２にＸおよびＹを蓄積させて記憶させる場合は、小型カメラによる撮影画像も記憶部２に蓄積させて記憶させるようにすればよい。この場合、リモコン位置表示ボタン４ａが押下げられると、制御部１は、蓄積されたＸおよびＹと共に蓄積された撮影画像を記憶部２から読み出し、撮影画像に上記垂線の画像を重畳させた画像を撮影画像ごとに作成し、作成された画像に基づき表示信号を作成して表示部５に送信し、撮影画像に上記垂線の画像が重畳された各画像を表示部５が表示するようにする。これによれば、表示された各画像により、リモコン３０が操作された概ねの位置の履歴をユーザが把握でき、リモコン３０をより早く探し出すことができる。
【００３９】
以上の実施形態では、リモコン３０の概ねの位置を表示によってガイドするようにしたが、音声によってガイドするようにしてもよい。以下、これについて説明する。
【００４０】
リモコン３０が操作されて、記憶部２にＸおよびＹが上書き記憶される動作については上記実施形態と同様である。そして、リモコン位置表示ボタン４ａが押下げられると、制御部１は、記憶部２からＸおよびＹを読み出し、音声信号を作成してスピーカ６に送信し、スピーカ６が座標（Ｘ，Ｙ）の位置を示す音声を発生する。この音声をユーザが聞くことで、ユーザは、前回リモコン３０が操作された際のリモコン３０の概ねの位置を把握でき、置き場所が分からなくなったリモコン３０を早く探し出すことができる。
【００４１】
なお、記憶部２にＸおよびＹが蓄積されて記憶される場合は、リモコン位置表示ボタン４ａが押下げられると、制御部１は、蓄積されたＸおよびＹを読み出し、各座標（Ｘ，Ｙ）の位置を示す音声をスピーカ６に発生させるようにすればよい。この音声により、ユーザはリモコン３０が操作された概ねの位置の履歴を把握でき、リモコン３０をより早く探し出すことができる。
【００４２】
上記実施形態の変形例として、リモコン３０が操作され、記憶部２にＸおよびＹを上書き記憶させる際に、制御部１が、テレビ１０の有する時計部（不図示）が計時した現在の日付・時刻情報を記憶部２に上書き記憶させるようにしてもよい。この場合、リモコン位置表示ボタン４ａが押下げられると、制御部１は、記憶部２からＸ、Ｙと共に日付・時刻情報を読み出し、音声信号を作成してスピーカ６に送信し、スピーカ６が座標（Ｘ，Ｙ）の位置および日付・時刻を示す音声を発生するようにすればよい。これによれば、スピーカ６からの音声により、ユーザは、前回リモコン３０が操作された日付・時刻を把握でき、誰が前回リモコン３０を操作したのか予測でき、リモコン３０を探し出す手助けとなる。
【００４３】
なお、記憶部２にＸおよびＹを上書きでなく蓄積させて記憶させ、日付・時刻情報も蓄積させて記憶させてもよい。この場合、リモコン位置表示ボタン４ａが押下げられると、制御部１は、蓄積されたＸ、Ｙと共に蓄積された日付・時刻情報を記憶部２から読み出し、音声信号を作成してスピーカ６に送信し、スピーカ６が各座標（Ｘ，Ｙ）の位置および各日付・時刻を示す音声を発生するようにすればよい。この音声により、ユーザは、リモコン３０が操作された日時の履歴を把握でき、誰が前回リモコン３０を操作したのかより予測し易くなり、リモコン３０をより探し易くなる。
【００４４】
また、別の変形例として、リモコン３０が操作され、記憶部２にＸおよびＹを上書き記憶させる際に、制御部１が、リモコン受光部３から受信したコード信号を記憶部２に上書き記憶させるようにしてもよい。この場合、リモコン位置表示ボタン４ａが押下げられると、制御部１は、記憶部２からＸ、Ｙと共にコード信号を読み出し、音声信号を作成してスピーカ６に送信し、スピーカ６が座標（Ｘ，Ｙ）の位置およびコード信号に対応する操作内容（例えば、選局されたチャンネル、音量上昇等）を示す音声を発生するようにすればよい。これによれば、スピーカ６からの音声により、ユーザは、前回リモコン３０が操作された際の操作内容を把握でき、誰が前回リモコン３０を操作したのか予測でき、リモコン３０を探し出す手助けとなる。また、選局を示すコード信号を記憶部２に記憶させる際は、ＥＰＧ（電子番組表）を参照する等して、選局された放送番組の番組情報（例えば、番組タイトル）も記憶部２に記憶させてもよい。この場合、リモコン位置表示ボタン４ａが押下げられると、制御部１は、記憶部２からＸ、Ｙと共にコード信号および番組情報を読み出し、スピーカ６に座標（Ｘ，Ｙ）の位置、選局チャンネルおよび番組情報を示す音声を発生させる。
【００４５】
なお、記憶部２にＸおよびＹを上書きでなく蓄積させて記憶させ、コード信号も蓄積させて記憶させてもよい。この場合、リモコン位置表示ボタン４ａが押下げられると、制御部１は、蓄積されたＸ、Ｙと共に蓄積されたコード信号を記憶部２から読み出し、音声信号を作成してスピーカ６に送信し、スピーカ６が各座標（Ｘ，Ｙ）の位置および各コード信号に対応する操作内容を示す音声を発生するようにすればよい。この音声により、ユーザは、リモコン３０の操作内容の履歴を把握でき、誰が前回リモコン３０を操作したのかより予測し易くなり、リモコン３０をより探し易くなる。
【００４６】
以上で説明した実施形態はあくまで本発明を実施するに当たっての一例であり、本発明の趣旨を逸脱しない程度のあらゆる変更が可能である。例えば、本発明はテレビに限らず、あらゆる電子機器に適用が可能である。
【図面の簡単な説明】
【００４７】
【図１】は、本発明に係るテレビの概略構成図である。
【図２】は、リモコン位置に関する各情報を示す図である。
【図３】は、Ｘ軸、Ｙ軸からなる２次元直交座標系を示す図である。
【図４】は、リモコン位置表示ボタンを押下げた場合のマーク表示の一例を示す図である。
【符号の説明】
【００４８】
１    制御部
２    記憶部
３    リモコン受光部
４    操作部
４ａ    リモコン位置表示ボタン
５    表示部
５ａ    表示面
６    スピーカ
７    マーク
１０  テレビ
２０  リモコン位置検出装置
３０  リモコン
【図１】
2010068073.tif 000003
【図２】
2010068073.tif 000004
【図３】
2010068073.tif 000005
【図４】
2010068073.tif 000006